(57)【要約】      （修正有）【課題】室外機の天板を給水シートからの蒸発熱によって水冷することで構造を簡略化する【解決手段】エアコン室外機本体の上面に設置されているユニットベース（２）には上部に室内空気を冷却した時に発生するドレーン水を注入する注入口（３）と貯水部（４）とを有し、該貯水部（４）から下部に通じる小穴（５）が設けられている。ユニットベース下部には、ばね性を有する複数の腕部材（７）が放射状に取り付けられ、天板（８）の上に広げた吸水シート（９）の位置を固定するために押さえて保持する如く構成したエアコン室外機用水冷アダプターユニットを提供する。【選択図】図１
2018138838.tif 000002
【特許請求の範囲】
【請求項１】
エアコン室外機本体の上面に設置されているユニットベースには上部に室内空気を冷却した時に発生するドレーン水を注入する注入口と貯水部とを有し、該貯水部から下部に通じる小穴が設けられている。また、貯水部と小穴の入り口には多孔質性部材が配置されている。またユニットベース下部には、ばね性を有する複数の腕部材が放射状に取り付けられ、該腕部材はエアコン室外機本体の天板の上に広げた吸水シートの位置を固定するために押さえて保持する如く構成したことを特徴としたエアコン室外機用水冷アダプターユニット。
【発明の詳細な説明】
【技術分野】
【０００１】
本発明は、既存のエアコン室外機の天板を給水シートからの蒸発によって水冷化することによってその排気温度を下げ、電力消費を少なくする為のアダプターユニットに関するものである。
【背景技術】
【０００２】
現在一般に使用されている家庭用のエアコン用室外機は多くが空冷方式でファンの力で外気を熱交換器にあてて冷却を行うものである。また室外機は天板が太陽の直射にさらされていることが多くこれが高温となるため、室外機からの排気は高温になって屋外の温度を上昇させる。また、そのために室外機の効率が下がり使用電力が増加する。室外機の天板上に別途太陽光を反射する板を乗せる方法もあるが一時的な効果はあるが継続的に冷却する効果は少ない。
【０００３】
近年、地球温暖化の問題が顕在化し、また電力消費量を少なくする要望も高まっている。エアコン室外機の冷却方法を水冷式にすれば排気温度の低下と電力消費の効果が大きいことは周知のことであるが、室外機の内部を冷却するためには構造が複雑になるなどのために実用化されていない。
【０００４】
また、既に設置済の空調室外機を水冷式のものに交換するというのは費用も掛かり資材を無駄にするものでもあり、環境対策としては望ましくない。
【０００５】
この改善策として、これまで提案されてきた第１の方式としては除湿水（ドレーン）によってエアコン室外機の熱交換器（コンデンサー）を冷却するものや、他の方法として室外機の上部に雨水や水道水を貯めて徐々に滴下することによって熱交換器（コンデンサー）を冷却する方式が提案されているが、不必要なときに滴下される水を停止する方法について述べられていないために、無駄に大量の水を消費する可能性を持つものであるのと、既成のエアコンへの追加設置が出来ない等の不都合を有するものである。また、本出願人による実用新案としてドレーンの水量によって滴下バルブを開閉する方式があるが、動作の遅れが大きく調整が微妙であるなどの課題がある。
【先行技術文献】
【特許文献】
【０００６】
【特許文献１】実開平６−２０１３号公報
【特許文献２】特開平９−１９６４１５号公報
【特許文献３】実登３１６９９４５号
【特許文献１】特願−２０１２−８８１１０号公報
【発明の概要】
【発明が解決しようとする課題】
【０００７】
本発明が解決しようとする課題は、上記のごとき不具合を改善するために冷却器を水冷式にするのではなく、室外機の天板を給水シートからの蒸発熱によって水冷することで構造を簡略化するものである。
【課題を解決するための手段】
【０００８】
本発明の上記課題を解決するための手段は、冷却水として室内の除湿によって発生するドレーンと人手によって逐次給水する水が適度な滴下量で天板上に落ちて天板上に広げて設置した吸水性のシートによって広がり、これが蒸発することで天板を有効に冷却する方式としたことにある。
【発明の効果】
【０００９】
本発明の効果は、従来から使用されているエアコンの室外機に容易に取付けることが出来るエアコン室外機の水冷アダプターユニットであり、室内空気を冷却することで発生する除湿水（ドレーン）と人手によって水槽内に給水する水とを利用して天板上に広げた吸水性のシートからの水分の蒸発による天板の冷却を利用するとともに冷却水の床への飛散を防止し、屋外温度の上昇を防ぐもので、これまでのエアコン室外機の水冷化の多くの課題を解決できることで、エアコンによって消費する電力を節約できるという大きな利点がある。
【図面の簡単な説明】
【００１０】
【図１】図１は本発明の１実施形態を示した側断面図である。
【図２】図２は本発明の１実施形態を示した上面図である。
【発明を実施するための形態】
【００１１】
本発明のエアコン室外機用水冷アダプターユニットをその機能を損なわない範囲で簡略化して実現するための実施形態を示す。
【実施例】
【００１２】
図１は本発明のエアコン室外機用水冷アダプターユニットの１実施形態を示した側断面図であり、図２は本発明の１実施形態を示した上面図である。
図１、２においてエアコン室外機本体１の上面にユニットベース２が設置されている。該ユニットベース２には上部に室内空気を冷却した時に発生するドレーン水を注入する注入口３と貯水部４と貯水部４から下部に通じる小穴５が設けられている。また、貯水部４と小穴５の入り口には多孔質性部材６が配置されている。またユニットベース２には、ばね性を有する複数の腕部材７が放射状に取り付けられ、該腕部材７はエアコン室外機本体１の天板８の上に広げた吸水シート９を押さえている。１０はドレーン水の排水ホースであり、通常は屋外の床面に放置されるものである。
【００１３】
貯水部４は室内の湿度が少なく、ドレーン水があまり出ない時に人為的に給水して多孔質性部材６を通してその水が給水シート９の上に滴下し、蒸発が継続できるごとくする為のものである。通常２時間程度の滴下継続ができるのが望ましい。
［動作］
【００１４】
上記実施形態に示す本発明のエアコン室外機用水冷アダプターユニットの動作について説明する。
エアコン室外機本体１の上面にユニットベース２の上部に室内空気を冷却した時に発生するドレーン水をドレーン水の排水ホース１０を介して注入すると該ドレーン水は吸水シート９に吸収されて室外機本体１の天板８の上に広がる。このドレーン水が外気に触れて蒸発するときに大きな蒸発熱を奪い、天板８を冷却する。１ｃｃの水が蒸発するときに必要な熱量は５３９カロリーである。この水が蒸発することで床面に流れる排水の量も減少するという効果もある。一方室内が乾燥している状態ではドレーン水は少なく、天板８を充分冷却できない状態もありうる。その場合は貯水部４に人手で注水することが出来る。注水された水は多孔質性部材６を介して小穴５からユニットベース２の下側に落ちて吸水シート９を濡らし上記と同様に。天板８を冷却する。天板８を冷却する必要があるのは通常日差しが強い４時間程度であるので注水した水が蒸発する時間が２時間程度であれば１日に２回程度注水することで充分である。なお、吸水シート９はキッチンタオル、多孔質性部材６はいわゆるウェットティッシュなどに類する一般的な材質で良いので逐次交換する場合も極めて安価である。
【００１５】
天板８の温度は日差しが強い時には７０℃から９０℃になるが水冷することで風速の強弱にも拠るが２０℃から３０℃くらい温度が下がりこれによって室外機の冷却効率が向上し、エアコンが消費する電力は１５％から２５％程度低減することが出来る。
【産業上の利用可能性】
【００１６】
本発明のエアコン室外機用アダプターユニットは上記の説明で明らかなごとく、極めて簡単な構造で、既存のエアコン室外機に容易にセットすることが出来、室内の除湿によって発生するドレーン水を有効に利用し、また人手によって給水することで容易に室外機を継続的に冷却することが出来るものであり、冷房によるピーク電力の軽減と屋外の温度上昇を軽減できると云う大きな効果を持つものであり、その地球温暖化防止効果は極めて著しい。
【符号の説明】
【００１７】
１    エアコン室外機本体
２    ユニットベース  
３    注入口
４    貯水部
５    小穴
６    多孔質性部材
７    腕部材
８    天板
９    吸水シート
１０  排水ホース
【図１】
2018138838.tif 000003
【図２】
2018138838.tif 000004